(57)【特許請求の範囲】
【請求項１】
芯線の一方の端部に取り付けられ、任意の認識情報が格納された第１のＩＣタグと、
前記第１のＩＣタグに格納された認識情報を読み出す第１の認識部と、
前記芯線の他方の端部に取り付けられ、任意の認識情報が格納された第２のＩＣタグと、
前記第２のＩＣタグに格納された認識情報を読み出す第２の認識部とを有し、
前記第１の認識部は、
前記第１の認識部からの電波を前記第１のＩＣタグに送受信する第１のアンテナと、
前記芯線の導体の一方の端部に電気的に接続する第１の導体接続端子とを備え、
前記第２の認識部は、
前記第２の認識部からの電波を前記第２のＩＣタグに送受信する第２のアンテナと、
前記芯線の導体の他方の端部に電気的に接続する第２の導体接続端子とを備え、
前記第１の認識部は、
前記芯線の導体を介して、前記第２の認識部に対して、前記第２のＩＣタグに格納されている認識情報を読み取ることを要求し、前記第２の認識部が読み出した認識情報を前記芯線の導体を介して取得し、取得した前記認識情報と前記第１の認識部が読み出した前記第１のＩＣタグに格納されている認識情報とを比較し、一致した際に前記芯線が導通状態であることを判断することを特徴とする芯線認識システム。
【請求項２】
請求項１記載の芯線認識システムにおいて、
前記第１、および前記第２の認識部の動作を遠隔制御する制御部を備え、
前記制御部は、
前記第２の認識部に対して、前記第２のＩＣタグに格納されている認識情報を読み出し、前記第２の認識部が読み出した認識情報を前記芯線の導体を介して前記第１の認識部に送信し、前記第１の認識部が、送信された前記認識情報と前記第１の認識部が読み出した前記第１のＩＣタグに格納されている認識情報とを比較し、その比較結果を前記制御部に送信するように制御することを特徴とする芯線認識システム。
【請求項３】
請求項２記載の芯線認識システムにおいて、
前記芯線の導体を介した前記第１の認識部、および前記第２の認識部の通信は、低電圧レベルの高周波帯をキャリアとする信号により行うことを特徴とする芯線認識システム。
【請求項４】
請求項２記載の芯線認識システムにおいて、
端子盤に設けられた芯線を接続する複数の端子台にそれぞれ取り付けられた第１の認識灯と、
制御信号に基づいて、前記第１の認識灯を点灯、または消灯させる第３の認識部と、
前記第１のＩＣタグ毎に対応して設けられる第２の認識灯とを備え、
前記第１の認識部は、
制御信号に基づいて、前記第２の認識灯を点灯、または消灯させ、
前記制御部は、
前記第１、および前記第３の認識部に制御信号を送信し、前記第３の認識部に任意の前記第１の認識灯を点灯させるように遠隔制御を行うと共に、点灯させた前記第１の認識灯に取り付けられた前記端子台に接続すべき芯線に対応する前記第２の認識灯を点灯させるように前記第１の認識部を遠隔制御することを特徴とする芯線認識システム。
【請求項５】
請求項２記載の芯線認識システムにおいて、
前記第１の認識部、および前記第２の認識部は、
前記芯線の電気的特性を計測する芯線特性測定部を備え、
前記芯線特性測定部は、
前記制御部の遠隔制御により、前記芯線の電気的特性を計測し、その計測結果を前記制御部に送信することを特徴とする芯線認識システム。
【請求項６】
第１の認識部により芯線の一方の端部に取り付けられた第１のＩＣタグから認識情報を読み出し、第２の認識部により前記芯線の他方の端部に取り付けられた第２のＩＣタグから認識情報を読み出して前記芯線を介して送信し、送信された前記認識情報と前記第１の認識部が読み出した前記第１のＩＣタグの認識情報とを比較し、一致した際に前記芯線が正しく導通、同定されていると判定し、
前記芯線の電気的特性を計測する芯線特性測定部により、前記芯線の電気的特性を測定することを特徴とする芯線認識方法。
【請求項７】
第１の認識部によって第１の芯線の一方の端部に取り付けられた第１のＩＣタグから認識情報を読み出す工程と、
第２の認識部によって前記第１の芯線の他方の端部に取り付けられた第２のＩＣタグから認識情報を読み出す工程と、
読み出した前記第２のＩＣタグに格納されている認識情報を前記第２の認識部が前記第１の芯線を介して前記第１の認識部に送信する工程と、
第３の認識部によって前記第１の芯線にカスケード接続された第２の芯線の他方の端部に取り付けられた第３のＩＣタグから認識情報を読み出す工程と、
読み出した前記第３のＩＣタグの認識情報を前記第３の認識部が前記第１、および前記第２の芯線を介して前記第１の認識部に送信する工程と、
前記第２の認識部から送信された認識情報と前記第１の認識部が読み出した前記第１のＩＣタグに格納されている認識情報とを比較する工程と、
前記第３の認識部から送信された認識情報と前記第１の認識部が読み出した前記第１のＩＣタグに格納されている認識情報とを比較する工程と、
前記第２の認識部から送信された認識情報と前記第１の認識部が読み出した認識情報、および前記第３の認識部から送信された認識情報と前記第１の認識部が読み出した認識情報がそれぞれ一致した際に前記芯線が正しく導通、同定されていると判定する工程とを有することを特徴とする芯線認識方法。
【請求項８】
端子盤に設けられた芯線を接続する複数の端子台にそれぞれ取り付けられた第１の認識灯のうち、任意の第１の認識灯を点灯させる工程と、
点灯させた前記第１の認識灯に取り付けられた前記端子台に接続すべき芯線に対応する第２の認識灯を点灯させる工程とを有し、
任意の前記端子台と、前記端子台に接続すべき前記芯線との接続ナビゲーションを行うことを特徴とする芯線認識方法。
【発明の詳細な説明】
【技術分野】
【０００１】
本発明は、芯線の接続ミスを防止する技術に関し、特に、多数の芯線から、任意の芯線を同定する芯線同定に有効な技術に関する。
【背景技術】
【０００２】
原子力発電所、火力発電所、管制センタ、データセンタ、巨大ビルなどでは多数の芯線が使用されていて、定期的な保守や、装置の改修、撤去、据付などで日常のごとく芯線の接続解除、再接続が行われている。
【０００３】
これらの作業は、複雑でまた個別の仕様であるため、個別の人力に頼らざるを得ず、ヒューマンエラーのリスクにさらされている。ヒューマンエラーは複数のチェックシステムにより厳重な防止策が講じられてきているが、そのために多大の工数をかけていても完全ではない。
【０００４】
この種の芯線のチェック技術としては、たとえば、芯線を接続後送信端の識別データを芯線を通して送信して、受信した識別データと記憶されている受信端の識別データを比較するもの（たとえば、特許文献１参照）、複数の芯線導線に異なる識別信号を与え、他方端の識別信号を検出することで、各導線の導通を検査するもの（たとえば、特許文献２参照）、芯線の両端にＩＣタグが付けられていて、他の端で両識別情報を比較して同一芯線か否かを判別するもの（たとえば、特許文献３参照）などが知られている。
【先行技術文献】
【特許文献】
【０００５】
【特許文献１】特開平２０００−３３８１６０号公報
【特許文献２】特開平０５−１８０８９２号公報
【特許文献３】特開平２００６−２４３８３４号公報
【発明の概要】
【発明が解決しようとする課題】
【０００６】
ところが、上記のような芯線の接続状態をチェックする技術では、次のような問題点があることが本発明者により見い出された。
【０００７】
たとえば、特許文献１、および特許文献２の技術は、前述したように、接続した芯線に識別データを送信することにより同定することを行うものであるが、芯線の接続位置がずれていると、エラーを検出できないという問題がある。
【０００８】
また、特許文献３では、ＩＣタグを導入しているものの、読み取りのときの芯線選択は人手によるため、新しいヒューマンエラーが発生してしまう恐れが生じてしまうという問題がある。
【０００９】
本発明の目的は、工数を大幅に削減しながらヒューマンエラーを防止し、確実に芯線を同定することのできる技術を提供することにある。
【００１０】
本発明の前記ならびにそのほかの目的と新規な特徴については、本明細書の記述および添付図面から明らかになるであろう。
【課題を解決するための手段】
【００１１】
本願において開示される発明のうち、代表的なものの概要を簡単に説明すれば、次のとおりである。
【００１２】
本発明は、芯線の両端にバーコードに比較して読み取り性に優れコンパクトなＩＣタグを貼付しておき、このＩＣタグの読み取りと芯線の導体を接続する端子をもつ認識装置を対象となる芯線の両端に設定する。
【００１３】
一般に、芯線の数は複数本であり、複数の芯線に同類の認識装置をアトランダムに接続しておくことを前提とする。芯線の同定は芯線の導体を通して、相互のＩＣタグの認識番号をやりとりする手段とする。
【００１４】
芯線同定のやり方は、芯線の近傍の片端の認識装置を起動して、芯線の導体を通して、遠方のもう片端の認識装置にＩＣタグの認識番号を読み取るように指示を出す。その後、遠方の認識装置は認識番号を読み取って、送信する。近傍の片端の認識装置はそれぞれのすなわち近傍と遠方の認識番号を比較して、芯線の同定をすることができる。
【００１５】
また、本願のその他の発明の概要を簡単に示す。
【００１６】
本発明は、芯線の一方の端部に取り付けられ、任意の認識情報が格納された第１のＩＣタグと、該第１のＩＣタグに格納された認識情報を読み出す第１の認識部と、芯線の他方の端部に取り付けられ、任意の認識情報が格納された第２のＩＣタグと、該第２のＩＣタグに格納された認識情報を読み出す第２の認識部とを有し、第１の認識部は、該第１の認識部からの電波を第１のＩＣタグに送受信する第１のアンテナと、芯線の導体の一方の端部に電気的に接続する第１の導体接続端子とを備え、第２の認識部は、該第２の認識部からの電波を第２のＩＣタグに送受信する第２のアンテナと、芯線の導体の他方の端部に電気的に接続する第２の導体接続端子とを備え、第１の認識部は、芯線の導体を介して、第２の認識部に対して第２のＩＣタグに格納されている認識情報を読み取ることを要求し、第２の認識部が読み出した認識情報を芯線の導体を介して取得し、取得した認識情報と第１の認識部が読み出した第１のＩＣタグに格納されている認識情報とを比較し、一致した際に芯線が導通状態であることを判断するものである。
【００１７】
また、本発明は、芯線の認識方法であって、第１の認識部により芯線の一方の端部に取り付けられた第１のＩＣタグから認識情報を読み出し、第２の認識部により芯線の他方の端部に取り付けられた第２のＩＣタグから認識情報を読み出して芯線を介して送信し、送信された認識情報と第１の認識部が読み出した第１のＩＣタグの認識情報とを比較し、一致した際に芯線が正しく導通、同定されていると判定するものである。
【発明の効果】
【００１８】
本願において開示される発明のうち、代表的なものによって得られる効果を簡単に説明すれば以下のとおりである。
【００１９】
（１）遠隔であっても芯線の同定を自動的に誤ることなく行うことができる。
【００２０】
（２）また、芯線の導体とＩＣタグを連動してチェックするために、似て非なる芯線の接続ミスなどを防止することができる。
【図面の簡単な説明】
【００２１】
【図１】本発明の実施の形態１による芯線認識システムの一例を示す説明図である。
【図２】図１の芯線認識システムにおけるデータ遷移の一例を示す説明図である。
【図３】図１の芯線認識システムにおけるデータ遷移の他の例を示す説明図である。
【図４】図１の芯線認識システムにおけるＩＣタグ、アンテナ、ならびに認識装置に設けられているリーダの構成の一例を示す説明図である。
【図５】図１の芯線認識システムによる芯線が端子盤の端子台に接続されている状態での芯線同定の一例を示す説明図である。
【図６】本発明の実施の形態２による芯線認識システムの一例を示す説明図である。
【図７】図６の芯線認識システムに設けられた認識装置の内部構成の一例を示す説明図である。
【図８】図７の認識装置における他の例を示す説明図である。
【発明を実施するための形態】
【００２２】
以下、本発明の実施の形態を図面に基づいて詳細に説明する。なお、実施の形態を説明するための全図において、同一の部材には原則として同一の符号を付し、その繰り返しの説明は省略する。
【００２３】
（実施の形態１）
図１は、本発明の実施の形態１による芯線認識システムの一例を示す説明図、図２は、図１の芯線認識システムにおけるデータ遷移の一例を示す説明図、図３は、図１の芯線認識システムにおけるデータ遷移の他の例を示す説明図、図４は、図１の芯線認識システムにおけるＩＣタグ、アンテナ、ならびに認識装置に設けられているリーダの構成の一例を示す説明図、図５は、図１の芯線認識システムによる芯線が端子盤の端子台に接続されている状態での芯線同定の一例を示す説明図である。
【００２４】
本実施の形態１において、芯線認識システム１は、多数の芯線から、任意の芯線を認識する装置である。芯線認識システム１は、図１に示すように、アンテナ２，３、ＩＣタグ４，５、導体接続端子６，７、および認識装置８，９から構成されている。
【００２５】
ＩＣタグ４，５は、たとえば、ＩＣチップとアンテナから構成されており、該ＩＣチップには、認識番号（ＩＤ）などが格納されており、後述するリーダ１１（図４）による無線通信により該認識番号が読み取られる。
【００２６】
第１のＩＣタグとなるＩＣタグ４は、芯線１０の一方の端部に取り付けられており、第２のＩＣタグとなるＩＣタグ５は、該芯線１０の他方の端部に取り付けられている。第１のアンテナであるアンテナ２は、ＩＣタグ４に格納されている認識番号を読み取るためのものである。第２のアンテナとなるアンテナ３は、ＩＣタグ５に格納されている認識番号を読み取るためのものである。
【００２７】
導体接続端子６，７は、芯線１０の導体１０ａに接続される端子であり、第１の導体接続端子となる導体接続端子６は、芯線１０の導体１０ａにおける一方の端部に接続されており、第２の導体接続端子となる導体接続端子７は、芯線１０の導体１０ａにおける他方の端部に接続されている。
【００２８】
第１の認識部となる認識装置８には、アンテナ２、および導体接続端子６がそれぞれ接続されており、第２の認識部となる認識装置９には、アンテナ３、ならびに導体接続端子７がそれぞれ接続されている。これら認識装置８，９は、芯線１０の同一判定に寄与する。
【００２９】
また、認識装置８，９には、グランドＧＮＤがそれぞれ接続されている。グランドＧＮＤは、建屋が保持している接地端子であってもよく、芯線が張り巡らされる遠隔とのデータ伝送を芯線の導体一本で行うために必要である。
【００３０】
芯線１０の導体１０ａは、認識装置８，９の連絡のために共通ラインとして活用される。すなわち、一方の認識装置８（または認識装置９）からもう一方の認識装置９（または認識装置８）に対して、データの要求や読み取りデータの送信などを行う。
【００３１】
従って、ＩＣタグ４，５を認識して行うために、現在どの芯線が選択されているか間違えのない判定や導通試験を間違いなく行うことができる。一般に同一の認識装置は複数のアンテナおよび導体接続端子をもつことを妨げない。
【００３２】
図２は、本実施の形態１による芯線認識システム１のデータ遷移の一例を示す説明図である。
【００３３】
この場合、認識装置はマスタ、スレーブの役割を分担して、マスタとなる認識装置が主導権をもって全体が動作するように考える。ここでは、認識装置８がマスタ、認識装置９がスレーブとする。
【００３４】
まず、マスタである認識装置８（図２ではマスタと記載）から、スレーブの認識装置９（図２ではスレーブと記載）に対して、芯線１０の導体１０ａを通して、認識番号の要求を行う（ステップＳ１０１）。認識装置９は、ＩＣタグ５から認識番号を読み取り、芯線１０の導体１０ａを通して認識番号を送信する（ステップＳ１０２）。
【００３５】
認識装置８は、認識装置９から送信された認識番号を受信して、該認識番号とＩＣタグ４に格納されている認識番号と照合する。または、認識装置８にあらかじめ登録されているデータベースとの番号と照合するようにしてもよい。
【００３６】
この照合により、芯線１０の導通が正しく行われたことが判明し、途中での断線や、配線の先方での選択ミスがないことが認識装置８のディスプレイなどに示される。また、認識装置９での選択がされていないと、該認識装置９は動作することはなく、認識番号を認識装置８に送信しないので、認識装置８は、タイムアウトによる応答なしとみなしてその旨を認識装置８のディスプレイなどに表示する。
【００３７】
図３は、本実施の形態１による芯線認識システム１のデータ遷移の他の例を示す説明図である。図３では、２本の芯線１０がカスケード接続されており、マスタである１台の認識装置８（図３では、マスタと記載）と２台（複数台）のスレーブとなる認識装置９（図３では、スレーブ１、スレーブ２とそれぞれ記載）とのデータ遷移について説明する。
【００３８】
この場合の認識装置８，９の接続構成は、マスタの認識装置８が、１本目の芯線１０の一方の接続部に接続されており、１台目のスレーブとなる認識装置９が、１本目の芯線１０の他方の接続部、および２本目の芯線１０（カスケード接続されている芯線）の一方の接続部にそれぞれ接続されている。そして、２台目のスレーブとなる認識装置９は、２本目の芯線１０の他方の接続部に接続されている。
【００３９】
まず、図３において、マスタの認識装置８から、１台目の認識装置９に対して、１本目の芯線１０の導体１０ａを通して、認識番号の要求を行う（ステップＳ２０１）。１台目の認識装置９は、１本目の芯線１０に取り付けられたＩＣタグ５の認識番号を読み取り、該芯線１０の導体１０ａを通して認識番号を送信する（ステップＳ２０２）。
【００４０】
認識装置８は、１台目の認識装置９から送信された認識番号を受信すると、芯線１０に取り付けられたＩＣタグ４の認識番号を読み取り、その認識番号と受信した認識番号とを照合する。
【００４１】
続いて、認識装置８は、２台目の認識装置９に対して、２本目の芯線１０の導体１０ａを通して、認識番号を読み出す要求を行う（ステップＳ２０３）。２台目の認識装置は、カスケード接続されている芯線１０の他方の端部に取り付けられているＩＣタグから認識番号を読み取り、該芯線１０の導体１０ａを通して認識番号を送信する（ステップＳ２０４）。
【００４２】
認識装置８は、２台目の認識装置９から送信された認識番号を受信し、芯線１０に取り付けられたＩＣタグ４の認識番号を読み取り、その認識番号と受信した認識番号とを照合する。あるいは、あらかじめ登録してあるデータベースとの番号と照合するようにしてもよい。
【００４３】
これら２回の照合により、芯線の導通が正しく行われたことが判明し、途中での断線や、配線の先方での選択ミスがないことが、認識装置８のディスプレイなどに示される。
【００４４】
図４は、図１の芯線認識システム１におけるＩＣタグ４、アンテナ２、ならびに認識装置８に設けられているリーダ１１の構成の一例を示す説明図である。
【００４５】
リーダ１１は、ＩＣタグ４に格納されたデータを読み出す。リーダ１１は、送信回路１２、送信アンプ１３、受信回路１４、受信アンプ１５、およびサーキュレータ１６から構成されている。
【００４６】
送信回路１２には、送信アンプ１３が接続されており、受信回路１４には、受信アンプ１５が接続されている。また、送信アンプ１３の出力部、および受信アンプ１５の入力部には、サーキュレータ１６がそれぞれ接続されている。
【００４７】
サーキュレータ１６は、アンテナ２からの信号を進行波、反射波に分離する機能をもっている。アンテナ２は、たとえば、ダイポールアンテナ２ａからなる。サーキュレータ１６とダイポールアンテナ２ａとは、同軸線１７を介して接続されている。
【００４８】
また、ＩＣタグ４は、メモリ回路１８、メモリ制御回路１９、送受信回路２０、およびダイポールアンテナ２１から構成されている。
【００４９】
ダイポールアンテナ２１には、送受信回路２０が接続されており、該送受信回路２０には、メモリ制御回路１９が接続されている。さらに、メモリ制御回路１９には、メモリ回路１８が接続されている。
【００５０】
ダイポールアンテナ２１に、アンテナ２からの無線エネルギの受信があると、そのエネルギが電圧に変換され、送受信回路２０が動作する。メモリ制御回路１９は、メモリ回路１８に格納された認識番号などのデータをシリアルに読み出すための制御を効率よく行う。また、メモリ回路１８には、認識番号やその他のデータが格納されている。
【００５１】
ダイポールアンテナ２ａ、ならびにダイポールアンテナ２１は、たとえば、１０ｍｍ以下で効率よくカップリングを行う。リーダ１１の送信回路１２は、クロックパルスを変調した高周波帯の信号を発生する。
【００５２】
この場合、周波数帯は、たとえば、９５０ＭＨｚ程度から２４５０ＭＨｚ程度であることがコンパクトなダイポールアンテナにとって効率がよい。ＩＣタグ４の出力により、ダイポールアンテナ２１のインピーダンスを変更すると反射係数が異なってくるため、リーダ１１でデータを受信することができる。
【００５３】
次に、芯線認識システム１を用いて、芯線１０が端子盤の端子台に接続されている状態での芯線同定の技術について、図５を用いて説明する。
【００５４】
この場合、図示するように、端子盤２２には、端子台２３，２４が設けられている。芯線１０の一方の端部には、ＩＣタグ４が取り付けられており、該芯線１０の他方の端部には、ＩＣタグ５が取り付けられている。
【００５５】
また、アンテナ２は、ＩＣタグ４に格納されている認識番号を読み取り、アンテナ３は、ＩＣタグ５に格納されている認識番号を読み取る。導体接続端子６は、芯線１０の導体１０ａにおける一方の端部に接続されており、導体接続端子７は、芯線１０の導体１０ａにおける他方の端部に接続されている。
【００５６】
認識装置８に接続されている接続線８ａには、アンテナ２、および導体接続端子６がそれぞれ共通に接続されており、認識装置９に接続されている接続線９ａには、アンテナ３、および導体接続端子７がそれぞれ共通に接続されている。
【００５７】
制御部となる制御装置４２は、アンテナ４２ａを介して認識装置８，９と無線による通信を行い、該認識装置８，９の動作を制御する。芯線１０の一方の端部は、端子盤２２の端子台２４に接続されている。端子盤２２は、他の機器との接続点となり、たとえば、コンピュータなどの電子機器が接続される。
【００５８】
このように、端子盤２２にコンピュータなどの機器が接続されている場合には、通電時の電圧を（コンピュータなどの）他の機器への障害とならないような低信号レベルで行う。また、復調しやすさを考慮して低電位の高周波帯をキャリアとする信号とする。
【００５９】
これにより、芯線１０を端子盤２２に接続した状態で、コンピュータなどの電子機器にダメージを与えることなく、該芯線の同定を行うことができる。
【００６０】
なお、認識装置８，９の動作は、図２と同様であり、異なるところは、制御装置４２の無線通信の制御に基づいて動作を行う点である。
【００６１】
それにより、本実施の形態１によれば、芯線の導体を通して、相互のＩＣタグ４，５の認識番号により任意の芯線を同定するので、芯線の同定を自動的に誤ることなく行うことができる。
【００６２】
（実施の形態２）
図６は、本発明の実施の形態２による芯線認識システムの一例を示す説明図、図７は、図６の芯線認識システムに設けられた認識装置の内部構成の一例を示す説明図、図８は、図７の認識装置における他の例を示す説明図である。
【００６３】
前記実施の形態１では、芯線の同定技術について説明したが、本実施の形態２においては、芯線を端子台に接続する際の接続ミスを防止する芯線認識システム１について説明する。
【００６４】
この場合、図６に示すように、端子盤２２には、端子台２３，２４がそれぞれ設けられている。端子台２３は、芯線１０を接続する端子であり、端子台２４は、芯線２５を接続する端子である。
【００６５】
また、芯線認識システム１には、第１の認識灯となる端子台発光ダイオード２６，２７が設けられている。端子台発光ダイオード２６は、端子台２３に設けられており、端子台発光ダイオード２７は、端子台２４に設けられている。
【００６６】
これら端子台発光ダイオード２６，２７は、接続線２８，２９を介して、認識装置３０にそれぞれ接続されている。芯線１０，２５の一方の端部には、ＩＣタグ３１，３２がそれぞれ取り付けられている。認識装置３３には、接続線３４，３５を介して、アンテナ３６，３７、第２の認識灯となる芯線発光ダイオード３８，３９，および導体接続端子４０，４１がそれぞれ接続されている。
【００６７】
導体接続端子４０，４１は、芯線１０の導体１０ａ、芯線２５の導体２５ａにそれぞれ接続される端子である。導体接続端子４０は、導体１０ａの一方の端部に接続されており、導体接続端子４１は、導体２５ａにおける一方の端部に接続されている。
【００６８】
制御装置４２には、アンテナ４２ａが設けられており、認識装置３０，３３には、アンテナ３０ａ，３３ａがそれぞれ設けられている。制御装置４２は、アンテナ４２ａ，３０ａ，３３ａを介して認識装置３０，３３を無線通信により制御する。
【００６９】
制御装置４２は、任意の端子台発光ダイオード、および任意の芯線発光ダイオードをそれぞれ発光させることにより、接続すべき芯線と端子台との接続箇所を知らせるように認識装置３０，３３を制御する。
【００７０】
たとえば、制御装置４２に端子台２３と芯線１０とを接続することを設定すると、制御装置４２は、認識装置３０に対して端子台２３に設けられている端子台発光ダイオード２６を点灯させるように無線通信による制御を行うと共に、認識装置３３に対して芯線発光ダイオード３８を点灯させるように無線通信による制御を行う。
【００７１】
これにより、本実施の形態２では、接続すべき芯線と端子台との正確なナビゲーションを行い、かつ芯線と端子台の接続ミスを防止することができる。
【００７２】
また、図７は、認識装置３０（，３３）の内部構成の一例を示す説明図である。
【００７３】
認識装置３０（，３３）は、図示するように、リーダ４３、導電信号送受信器４４、発光ダイオード点灯器４５、制御コンピュータ４６、および通信器４７から構成されている。
【００７４】
通信器４７には、アンテナ３０ａが接続されており、該通信器４７は、たとえば、ブルーツースや無線ＬＡＮ(Local Area Network)などの無線技術により通信を行う。リーダ４３は、制御コンピュータ４６の制御に基づいて、ＩＣタグの情報を読み取り、導電信号送受信器４４は、芯線１０を介して信号を送受信する。
【００７５】
発光ダイオード点灯器４５は、制御コンピュータ４６の制御に基づいて、芯線発光ダイオード３８を点灯／消灯させる。これらリーダ４３、導電信号送受信器４４、ならびに発光ダイオード点灯器４５の出力は共通化されて、接続線４９と同軸線５０に接続される。
【００７６】
同軸線５０の他方の端部には、芯線発光ダイオード３８、導体接続端子４０、およびアンテナ３６がそれぞれ接続されている。また、芯線１０、ＩＣタグ３１、芯線発光ダイオード３８、導体接続端子４０、ならびにアンテナ３６の接続については、図６と同様であるので説明は省略する。
【００７７】
リーダ４３からの信号は、高周波低振幅であり、導電信号送受信器４４からの信号は、低周波低振幅であり、発光ダイオード点灯器４５からの信号は、中周波大振幅であるので、同軸線５０でミックスしても、混信することはない。ここで、認識装置３３においても、図７の認識装置３０と同様の構成となっている。
【００７８】
また、図８は、図７の認識装置における他の例を示す説明図である。
【００７９】
この場合、認識装置３０は、図示するように、リーダ４３、導電信号送受信器４４、発光ダイオード点灯器４５、制御コンピュータ４６、および通信器４７からなる図７と同様の構成に、芯線特性測定部となる芯線特性測定器５１が新たに設けられた構成となっている。
【００８０】
芯線特性測定器５１は、接続線４９と制御コンピュータ４６との間に接続されており、各種の芯線の測定を行う。その他の接続構成については、図７と同様であるので説明は省略する。
【００８１】
芯線特性測定器５１を設けることにより、たとえば、遠方の同類の測定器と連動して、芯線の特性インピーダンス、抵抗値、および遅延時間などの様々な測定を行うことができる。この場合、認識装置３３においても、図８の認識装置３０と同様の構成となっている。
【００８２】
それにより、本実施の形態２によれば、制御装置４２を用いることにより、芯線の同定を遠隔操作で行うことが可能となり、いままで二人必要であった作業を一人で作業することができ、芯線同定の工数を低減することができる。
【００８３】
また、間違いなく芯線の指定ができるために、作業指示の自動化を行うことができるとともに、導通検査のような単純であるが重要な作業も自動化を可能とすることができる。
【００８４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８５】
本発明は、原子力発電、管制センタ、あるいはデータセンタなどの多数の芯線が使用されるシステムにおいて、多数の芯線から任意の芯線を確実に同定する技術に適している。
【符号の説明】
【００８６】
１  芯線認識システム
２  アンテナ
２ａ  ダイポールアンテナ
３  アンテナ
４  ＩＣタグ
５  ＩＣタグ
６  導体接続端子
７  導体接続端子
８  認識装置
８ａ  接続線
９  認識装置
９ａ  接続線
１０  芯線
１０ａ  導体
１１  リーダ
１２  送信回路
１３  送信アンプ
１４  受信回路
１５  受信アンプ
１６  サーキュレータ
１７  同軸線
１８  メモリ回路
１９  メモリ制御回路
２０  送受信回路
２１  ダイポールアンテナ
２２  端子盤
２３  端子台
２４  端子台
２５  芯線
２５ａ  導体
２６  端子台発光ダイオード
２７  端子台発光ダイオード
２８  接続線
２９  接続線
３０  認識装置
３０ａ  アンテナ
３１  ＩＣタグ
３２  ＩＣタグ
３３  認識装置
３３ａ  アンテナ
３４  接続線
３５  接続線
３６  アンテナ
３７  アンテナ
３８  芯線発光ダイオード
３９  芯線発光ダイオード
４０  導体接続端子
４１  導体接続端子
４２  制御装置
４２ａ  アンテナ
４３  リーダ
４４  導電信号送受信器
４５  発光ダイオード点灯器
４６  制御コンピュータ
４７  通信器
４９  接続線
５０  同軸線
５１  芯線特性測定器
【図１】
0005519318.tif 000002
【図２】
0005519318.tif 000003
【図３】
0005519318.tif 000004
【図４】
0005519318.tif 000005
【図５】
0005519318.tif 000006
【図６】
0005519318.tif 000007
【図７】
0005519318.tif 000008
【図８】
0005519318.tif 000009